(57)【要約】      （修正有）【課題】作業性よく、内容器内の塗料を効率的に使うことが可能であり、作業終了後は、内容器のみを焼却廃棄可能な二重構造の塗装容器であって、塗料の補充など、塗装作業を一時中断する際に柄まで刷毛が塗料に浸かるのを防止できる塗装容器を提供する。【解決手段】把手を有する外容器と、該外容器内に自在に収容され、収容された該外容器の開口端に沿って外側に折り曲げる折り代を有する内容器と、該折り代を折り曲げた該内容器を、該内容器を収容する該外容器に係止する一方、刷毛を掛止する係止部材とを備え、該内容器に塗料を入れることを特徴とする。また係止部材５は、内容器内面と外側に折り曲げた折り代とを挟持する挟持部、及び毛先を下向きにした刷毛の柄を掛止する掛止部１５を有する。【選択図】図１
0003155996.tif 000002
【実用新案登録請求の範囲】
【請求項１】
把手を有する外容器と、該外容器内に自在に収容され、収容された該外容器の開口端に沿って外側に折り曲げる折り代を有する内容器と、該折り代を折り曲げた該内容器を、該内容器を収容する該外容器に係止する一方、刷毛を掛止する係止部材とを備え、該内容器に塗料を入れることを特徴とする塗装用器。
【請求項２】
前記係止部材は、前記内容器内面と外側に折り曲げた前記折り代とを挟持する挟持部、及び毛先を下向きにした刷毛の柄を掛止する掛止部を有することを特徴とする請求項１記載の塗装容器。
【請求項３】
前記内容器は、プラスチックを筒状に成形したものであって、丸味を帯びた底面を有することを特徴とする請求項１記載の塗装容器。
【請求項４】
前記係止部は、前記掛止部に掛止された刷毛の毛先を所定の高さに保持する突起部を有することを特徴とする請求項２記載の塗装容器。
【請求項５】
塗料を入れる塗装容器の開口縁を挟持する挟持部と、毛先を下向きにした刷毛を掛止する掛止部と、該掛止部に掛止された刷毛の毛先を所定の高さに保持する突起部とを有することを特徴とする塗装容器の係止部材。
【請求項６】
把手を有する外容器内に自在に収容され、収容された該外容器の開口端に沿って外側に折り曲げる折り代を有し、塗料を入れることを特徴とする内容器。
【請求項７】
前記内容器は、プラスチックにより筒状に成形されたものであって、丸味を帯びた底面を有することを特徴とする請求項６記載の内容器。
【考案の詳細な説明】
【技術分野】
【０００１】
本考案は、塗料を収容する二重構造の塗装容器、その内容器及び内容器を外容器に係止する一方、刷毛を掛止することが可能な係止部材に関するものである。
【背景技術】
【０００２】
従来から、建築物や構造物に塗料を塗布する際は、塗料を下げ缶などに小分けして行うのが一般的である。しかし、塗料で汚れた下げ缶を、洗浄溶剤で洗浄する必要があり、洗浄作業の非容易性やその洗浄溶剤の廃液を処理する困難性という課題がある。そこで、そのまま焼却廃棄可能な内容器を下げ缶に収容し、その内容器に塗料を収納する一方、下げ缶は繰り返し使用することができる二重構造の塗装容器が提案されている（特許文献１、特許文献２など参照）。
また、塗装作業を一時的に中断するときは、使用中の刷毛の置き場がないため、塗装容器に刷毛を入れたままにしておくと、塗料が柄の部分にまで付着し、再使用時にそれをふき取る必要が生じ、また刷毛を露出したまま長時間放置しておくと、刷毛に付着した塗料が時間の経過に伴って固化し、再使用時に固化した塗料を除去する必要が生じる。そこで、塗装容器に刷毛入れを取り付ける方法（特許文献3参照）や、刷毛入れを別に設ける方法（特許文献４参照）が提案されている。
【先行技術文献】
【特許文献】
【０００３】
【特許文献１】実開昭６２−５３２００号公報
【特許文献２】実開平１−１３７３００号公報
【特許文献３】特開２０００−３１２８５３号公報
【特許文献４】特開平９−２０６６６２号公報
【考案の概要】
【考案が解決しようとする課題】
【０００４】
しかしながら、二重構造の塗装容器の内容器の形状によっては、その内容器内の塗料を完全に使い切ることができず、塗料の一部が残置したままとなる場合が多い。また、刷毛入れには塗料が付着するため、塗料の種類に応じて、その都度刷毛入れも取り換える必要がある。さらに、内容器の形状や塗料の残量によっては、塗料を攪拌する際や刷毛に塗料を含ませる際に内容器が動き、作業性がよくないという難点もある。
本考案は、かかる事情に鑑み、小分けした塗料を使い捨ての内容器に入れて作業性よく、効率的に塗装作業が可能であり、かつ塗料の補充など、塗装作業を一時中断する際に柄まで刷毛が塗料に浸かるのを防止することができる塗装容器を提供することを目的とする。
【課題を解決するための手段】
【０００５】
本考案の塗装容器は、把手を有する外容器と、該外容器内に自在に収容され、収容された該外容器の開口端に沿って外側に折り曲げる折り代を有する内容器と、該折り代を折り曲げた該内容器を、該内容器を収容する該外容器に係止する一方、刷毛を掛止する係止部材とを備え、該内容器に塗料を入れることを特徴とする。
このように塗装容器を二重構造にし、使い捨ての内容器に塗料を入れることにすれば、洗浄剤で洗浄する手間や廃液処理も問題を回避できるうえ、内容器を係止部材で係止すれば、刷毛に塗料を含ませる動作を行っても内容器が動かないし、塗装作業の途中や塗料を補充する際に、刷毛の柄を掛止することができるので、塗料の中にどっぷり浸かった刷毛や柄から塗料を落とす手間が省けるほか、塗料の効率的使用が図れる。
ここで上記係止部材は、上記内容器内面と外側に折り曲げた上記折り代とを挟持する挟持部、及び毛先を下向きにした刷毛の柄を掛止する掛止部を有することが好ましく、上記係止部は、上記掛止部に掛止された刷毛の毛先を所定の高さに保持する突起部を有することも好ましい。
このように、上記係止部材が、内容器を固定する機能と、刷毛を掛止する機能とを兼備すれば利便性が向上する。また、刷毛の毛先を保持する突起部を設ければ、刷毛の毛先部分が必要以上に塗料に浸かるのを防止できる。
また、上記内容器は、プラスチックを筒状に成形したものであって、丸味を帯びた底面を有することも好ましい。
このように内容器がプラスチックであれば、廃棄処分や成形加工が容易であり、底面が丸味を帯びていれば、内容器に入れた塗料を最大漏らさず刷毛に含ませることができる。
【考案の効果】
【０００６】
本考案の塗装容器によれば、塗料の色や性質など、その種類に応じて使い捨ての内容器を取り換えて使用すればよいので、作業性がよい。また、塗料の残量が少なくなった時に、刷毛に塗料を含ませる動作をおこなっても、内容器が動かないし、塗装作業の途中や塗料を補充する際に、係止部材に刷毛の柄を掛止することにより、刷毛の柄まで塗料の中にどっぷり浸かることがなくなるので塗料を効率的に使用できる。
【図面の簡単な説明】
【０００７】
【図１】図1は、本発明の第1の実施形態の塗装容器を示す図である。
【図２】図２は、第1の実施形態の塗装容器の、下げ缶に収容する内容器を示す斜視図である。
【図３】図３は、第1の実施形態の塗装容器の、下げ缶に内容器を収容した状態を示す斜視図である。
【図４】図４は、第1の実施形態の係止部材の正面を示す図である。
【図５】図５は、第1の実施形態の係止部材の側面を示す図である。
【図６】図６は、第１の実施形態の係止部材の平面を示す図である。
【図７】図７は、係止部材を構成する第２挟持部材を示す斜視図である。
【図８】図８は、第２の実施形態の塗装容器の断面を示す図である。
【考案を実施するための形態】
【０００８】
以下に、本発明の塗装容器、その内容器及び係止部材の実施形態について説明する。
[第１の実施形態]
図1は、本発明の第1の実施形態の塗装容器を示す図である。
図1に示すように、第1の実施形態の塗装容器１は、把手４を有し、塗料を入れる内容器３を収容する円筒形の下げ缶（本発明の外容器に相当する。）２と、下げ缶３内に収容し、塗料を入れる円筒形の内容器２と、その内容器３を下げ缶２に係止して塗装作業中に内容器３が動かないように固定する一方、刷毛の柄を掛止し、毛先を下向きにした刷毛を内容器の上方に吊るす係止部材５と、を備えている。また、下げ缶２には、把手４を回動自在に係止する凸部４aが設けられている。
このように、塗装作業に用いる塗装容器１が二重構造になっていれば、塗料の色や性質など、その種類に応じて使い捨ての内容器３を取り換えて、必要な分量を小分けした塗料で効率的に塗装作業を行うことができる。また、係止部材５により内容器３が下げ缶２に固定されているので、塗料の残量が少なくなった時であっても、刷毛に塗料を含ませる動作を行っても内容器３が動かないし、塗装作業の途中や塗料を補充する際に、その係止部材５に刷毛の柄を掛止すれば、刷毛の柄までどっぷり塗料に浸かることがなくなり、作業性の向上や塗料の効率的使用が図れる。
ここで、本実施形態の下げ缶２は、ブリキやSUSなどの金属により筒状に成形された堅牢な容器を用いているが、必ずしも金属製である必要も、筒状である必要もなく、例えば、プラスチックにより筒状に形成しても、箱状に形成してもよい。一方、内容器３は、取り換え使用するので、可燃性又は生分解性のプラスチック、あるいは紙などで成形すれば、作業終了後にそのまま焼却処分又は埋設処分することができる。
【０００９】
図２は、第1の実施形態の塗装容器の、下げ缶に収容する内容器を示す斜視図であり、図３は、第1の実施形態の塗装容器の、下げ缶に内容器を収容した状態を示す斜視図である。
図２に示すように、内容器３は、底面３aが平らな筒状のプラスチック製のもので、内容器の開口端３bから所定の距離隔てた位置まで切り込み３cが設けられ、その切り込み３cのうち、把手4を係止する凸部４aが当接する部分３dは、円形に大きく切り込まれている。
図３に示すように、下げ缶２に収容した内容器３は、切り込み３ｃが設けられた折り代部分６を、下げ缶２開口端２aに沿って外側に折り曲げる。そして、外側に折り曲げた折り代部分６と内容器内面の開口縁３eとを図１に示した係止部材５で挟持し、内容器３を下げ缶２に固定する。
ここで、内容器３の、下げ缶２の開口縁２aに沿って外側に折り曲げる折り代部分のぐるり７を、他の部分よりも厚さを薄くして折り曲げ易いように構成してもよい。
【００１０】
図４〜図７は、第１の実施形態の係止部材を示す図であり、図４は、係止部材の正面を示す図、図５は、係止部材の側面を示す図、図６は、係止部材の平面を示す図、図７は、係止部材を構成する第２挟持部材を示す斜視図である。
図４〜図７に示すように、本実施形態の係止部材５は、所定の厚みを有する部材を挟持する挟持部１０と、刷毛の柄を掛止する掛止部１５と、掛止部１５に掛止された刷毛の毛先を所定の高さに保持する突起部１６と、を有する。また、挟持部１０は、第１挟持部材１１と、第１挟持部材１１に螺子１７で結合された第２挟持部材１２と、第２挟持部材の先端１２aを第１挟持部材１１側に付勢するばね１３とを有する。
そして、第１挟持部材１１には、鉤の手に折れ曲がった掛止部１５が上部に一体成形され、さらに、下げ缶２の開口端に沿って両側に延びる翼部１４が、中間部に一体成形されている。また、第１挟持部材１１の下部中央には、弦巻ばね１３の付勢方向に突き出した突起部１６が螺入され、あるいは接着されて固定設置されている。
掛止部１５は、下げ缶２の開口端に当接する翼部１４により、下げ缶の開口端２aからの高さが規定される。刷毛は、この掛止部１５に柄の間隙を挿通するか、あるいは掛止部１５の鉤の手部分と第１挟持部材11との間隙に刷毛の柄を係合させることにより、所定の高さに刷毛を吊るすことができる。また、突起部１６を刷毛の毛の部分に挿入すれば、必要以上に毛先部分が塗料に浸かるのを防止することができる。
【００１１】
第２挟持部材１２は、第１挟持部材11と螺子17で結合され、その螺子17には弦巻ばねが挿入されている。そして弦巻ばねの両端は第１挟持部材又は第２挟持部材に掛止され、第２挟持部材は、弦巻ばね１３により付勢され、その先端が第１挟持部材１１に強く押圧されている。この第２挟持部材の後端１２ｂと第１挟持部材１１とを指でつまみ、第２挟持部材の先端１２aを第１挟持部材11から離間させ、離間した間隙に、内容器３の折り代部分６と内容器内面の開口縁３eとを挟むことにより、係止部材５は塗装容器１に固定される。
したがって、塗料の残量が少なくなった時に、刷毛に塗料を含ませる動作をおこなっても内容器３は動かないし、塗装作業の途中、あるいは塗料を補充する際に、その係止部材５に刷毛の柄を掛止しておけば、刷毛の柄が塗料の中にどっぷり浸かることがなくなり、塗料の効率的使用や作業性の向上が図れる。
本実施形態の掛止部１５によって刷毛を吊るす際は、柄の間隙を利用するか、あるいは柄の厚味による摩擦力を利用しているが、刷毛の柄にあらかじめ所定の穴を開け、その穴に掛止部１５を挿通し、吊るすようにしてもよい。このようにすれば、刷毛の大きさや、種類に拘わらず、塗装容器に刷毛を吊るすことができる。
【００１２】
[第２の実施形態]
第２の実施形態の塗装容器は、内容器の底面が丸味を帯びている点が相違するが、それ以外は共通するので、相違する内容器についてのみ説明する。
図８は、第２の実施形態の塗装容器の断面を示す図である。
図８に示すように、本実施形態の内容器３の底面３aには丸味が設けてあり、その内容器３を下げ缶２に収容し、折り代部分６を折り曲げたとき、内容器の底面３aが下げ缶２の底面２ｂから浮いた状態になるように、折り代６の長さ及び内容器３の高さを設定する。
内容器３の底面３aに丸味を設けてあるので、内容器３内の塗料は、残りが少なくなるに従って、底面３a中央に移動する。これにより、内容器３に入れた塗料を最大漏らさず刷毛に含ませることができる。なお、本実施形態の内容器３は、底面３a全体が丸味を帯びているが、底面３aの中央部のみに丸味を設けてもよい。
本実施形態の塗装容器１は、内容器の底面３aが下げ缶２の底面２aから離間し、内容器３に入れた塗料の重量が内容器３の折り曲げた部分に加わるので、係止部材５を複数個用いたり、あるいは折り代部分６にゴムバンドを巻きつけることなどにより、内容器の底面３aが下げ缶の底面２ｂに接触しないよう係止することが好ましい。
【符号の説明】
【００１３】
１    塗装容器
２    下げ缶
２a  下げ缶の開口端
２ｂ  下げ缶の底面
３    内容器
３a  内容器の底面
3b  内容器の開口端
3c  切り込み
3d  凸部が当接する部分
3e  内容器内面の開口縁
４    把手
４a  凸部
５  係止部材
６  折り代部分
７  折り代部分のぐるり
１０  挟持部
１１  第１挟持部材
１２  第２挟持部材
１２a  第２挟持部材の先端
１２b  第２挟持部材の後端
１３  弦巻ばね
１４  翼部
１５  掛止部
１６  突起部
１７  螺子
【図１】
0003155996.tif 000003
【図２】
0003155996.tif 000004
【図３】
0003155996.tif 000005
【図４】
0003155996.tif 000006
【図５】
0003155996.tif 000007
【図６】
0003155996.tif 000008
【図７】
0003155996.tif 000009
【図８】
0003155996.tif 000010